(57)【要約】      （修正有）【課題】粘着テープを容易に剥がすことができ、且つフラップを側板の外側に重ね合わせるようにして容易に側板に固定することができる包装箱を提供する。【解決手段】いわゆるミカン箱型の包装箱１であって、外フラップ６にそれぞれ設けられた一対の第１揺動片１０と、内フラップにそれぞれ設けられ、一対の第２揺動片と、第１側板２及び第２側板３には、第１揺動片及び第２揺動片を嵌入可能な貫通孔が形成される第１破断可能部１１及び第２破断可能部９と、封緘したときの接着テープ１３が外フラップから第２側板にわたって貼着される際に、第２側板のうち接着テープが貼着することが予定される領域が接着予定部と定義したときに、第２破断可能部は、破断して指を差し込み可能な下方部分９１と、接着予定部に対応する位置に形成されている上方部分９２とを有する。胴部を折り畳んだときに、一対の第１揺動片は、互いの内面が重ね合わせられる位置に形成されている。【選択図】図１
0003230840.tif 000002
【実用新案登録請求の範囲】
【請求項１】
互いに対向する一対の第１側板及び該一対の第１側板の対向方向に交わる方向に互いに対向する一対の第２側板が折目線を介して連接されて上下方向に延びる角筒状の胴部と、
前記胴部の下側の開放端を閉鎖する底板部と、
前記第１側板の上縁に第１折目線を介して連接された一対の外フラップと、
前記第２側板の上縁に第２折目線を介して連接された一対の内フラップと、を備える包装箱において、
前記外フラップにそれぞれ設けられ、前記第１折目線に沿って延びる揺動折目線と該揺動折目線の両端を繋ぐ切れ目線とにより形成されている一対の第１揺動片と、
前記内フラップにそれぞれ設けられ、前記第２折目線に沿って延びる揺動折目線と該揺動折目線の両端を繋ぐ切れ目線とにより形成されている一対の第２揺動片と、
前記第１側板には、破断可能線に囲まれて切取自在に設けられ、該破断可能線を破断することで前記外フラップを該第１側板の外面に重ね合わせるように折り曲げたときに、前記第１揺動片を嵌入可能な貫通孔が形成される一対の第１破断可能部と、
前記第２側板には、破断可能線に囲まれて切取自在に設けられ、該破断可能線を破断することで前記内フラップを該第２側板の外面に重ね合わせるように折り曲げたときに、前記第２揺動片を嵌入可能な貫通孔が形成される一対の第２破断可能部と、を有し、
前記胴部の上側の開放端を閉鎖するために、前記胴部の内方に向かって水平姿勢となるように折り曲げた前記内フラップの上面に、前記外フラップを重ね合わせるように折り曲げて、所定の長さに切断した所定幅の接着テープが該外フラップから前記第２側板にわたって貼着される際に、該第２側板のうち該接着テープが貼着することが予定される領域が接着予定部と定義したときに、
前記第２破断可能部は、破断して指を差し込み可能な下方部分と、前記接着予定部に対応する位置に形成されている上方部分とを有し、
前記一対の第１揺動片は、前記外フラップ及び前記内フラップを前記胴部に対して起立姿勢として前記第１側板の内面と前記第２側板の内面とを重ね合わせるように該胴部を折り畳んだときに、互いの内面が重ね合わせられる位置に形成され、前記外フラップから一方の第１揺動片が抜け出たことにより形成された貫通孔に、他方の第１揺動片が嵌入可能であることを特徴とする包装箱。
【請求項２】
請求項１記載の包装箱であって、
前記第１揺動片は、前記第１折目線に沿って延びる揺動折目線と、前記外フラップの先端縁と、該揺動折目線の両端から該外フラップの先端縁までそれぞれ伸びる一対の切れ目線とにより形成されていることを特徴とする包装箱。
【請求項３】
互いに対向する一対の第１側板及び該一対の第１側板の対向方向に交わる方向に互いに対向する一対の第２側板が折目線を介して連接されて上下方向に延びる角筒状の胴部と、
前記胴部の下側の開放端を閉鎖する底板部と、
前記第１側板の上縁に第１折目線を介して連接された一対の外フラップと、
前記第２側板の上縁に第２折目線を介して連接された一対の内フラップと、を備える包装箱において、
前記外フラップにそれぞれ設けられ、前記第１折目線に沿って延びる揺動折目線と該揺動折目線の両端を繋ぐ切れ目線とにより形成されている一対の第１揺動片と、
前記内フラップにそれぞれ設けられ、前記第２折目線に沿って延びる揺動折目線と該揺動折目線の両端を繋ぐ切れ目線とにより形成されている一対の第２揺動片と、
前記第１側板には、破断可能線に囲まれて切取自在に設けられ、該破断可能線に切り取ることで前記外フラップを該第１側板の外面に重ね合わせるように折り曲げたときに、前記第１揺動片を嵌入可能な貫通孔が形成される一対の第１破断可能部と、
前記第２側板には、破断可能線に囲まれて切取自在に設けられ、該破断可能線に沿って切り取ることで前記内フラップを該第２側板の外面に重ね合わせるように折り曲げたときに、前記第２揺動片を嵌入可能な貫通孔が形成される一対の第２破断可能部と、を有し、
前記胴部の上側の開放端を閉鎖するために、前記胴部の内方に向かって水平姿勢となるように折り曲げた前記内フラップの上面に、前記外フラップを重ね合わせるように折り曲げて、所定の長さに切断した所定幅の接着テープが該外フラップから前記第２側板にわたって貼着される際に、該第２側板のうち該接着テープが貼着することが予定される領域が接着予定部と定義したときに、
前記第２破断可能部は、破断して指を差し込み可能な下方部分と、前記接着予定部に対応する位置に形成されている上方部分とを有し、
前記第１揺動片及び前記第２揺動片は、前記外フラップ及び前記内フラップを前記胴部に対して起立姿勢として前記第１側板の内面と前記第２側板の内面とを重ね合わせるように該胴部を折り畳んだときに、互いの内面が重ね合わせられる位置に形成され、該外フラップから該第１揺動片が抜け出たことにより形成された貫通孔に、第２揺動片が嵌入可能、または、前記内フラップから第２揺動片が抜け出たことにより形成された貫通孔に、該第１揺動片が嵌入可能、であることを特徴とする包装箱。
【考案の詳細な説明】
【技術分野】
【０００１】
本考案は、包装箱に関する。
【背景技術】
【０００２】
従来、側板に破断可能線で囲われた切取可能部を設け、この切取可能部に包装箱の蓋を押さえる粘着テープの端を配置させることにより、切取可能部を切り取ることで粘着テープを容易に剥がすことができる包装箱が知られている（例えば、特許文献１参照）。
【０００３】
また、蓋のフラップを解放後、側板の外側に固定できるように、フラップの一部を切り書いて揺動可能な揺動片とし、この揺動片を側板に形成した嵌合孔に嵌め合わせてフラップを側板に固定させることができる包装箱も知られている（例えば、特許文献２参照）。
【先行技術文献】
【特許文献】
【０００４】
【特許文献１】特表平１１−５０１６０１号公報
【特許文献２】特開２００１−１１４２６４号公報
【考案の概要】
【考案が解決しようとする課題】
【０００５】
粘着テープを剥がし易くするように切取可能部を側板に設けるとともに、切取可能部が設けられた側板でフラップも固定できるようにする場合、切取可能部を嵌合孔としても用いることが考えられる。
【０００６】
しかしながら、切取可能部を嵌合孔としても用いる場合、粘着テープを剥がすときに切取可能部が意図せずに部分的に破壊され、揺動片を固定することができなくなる虞がある。
【０００７】
本考案は、以上の点に鑑み、粘着テープを容易に剥がすことができ、且つフラップを側板の外側に重ね合わせるようにして容易に側板に固定することができる包装箱を提供することを目的とする。
【課題を解決するための手段】
【０００８】
［１］上記目的を達成するため、第１の本考案は、互いに対向する一対の第１側板及び該一対の第１側板の対向方向に交わる方向に互いに対向する一対の第２側板が折目線を介して連接されて上下方向に延びる角筒状の胴部と、
前記胴部の下側の開放端を閉鎖する底板部と、
前記第１側板の上縁に第１折目線を介して連接された一対の外フラップと、
前記第２側板の上縁に第２折目線を介して連接された一対の内フラップと、を備える包装箱において、
前記外フラップにそれぞれ設けられ、前記第１折目線に沿って延びる揺動折目線と該揺動折目線の両端を繋ぐ切れ目線とにより形成されている一対の第１揺動片と、
前記内フラップにそれぞれ設けられ、前記第２折目線に沿って延びる揺動折目線と該揺動折目線の両端を繋ぐ切れ目線とにより形成されている一対の第２揺動片と、
前記第１側板には、破断可能線に囲まれて切取自在に設けられ、該破断可能線を破断することで前記外フラップを該第１側板の外面に重ね合わせるように折り曲げたときに、前記第１揺動片を嵌入可能な貫通孔が形成される一対の第１破断可能部と、
前記第２側板には、破断可能線に囲まれて切取自在に設けられ、該破断可能線を破断することで前記内フラップを該第２側板の外面に重ね合わせるように折り曲げたときに、前記第２揺動片を嵌入可能な貫通孔が形成される一対の第２破断可能部と、を有し、
前記胴部の上側の開放端を閉鎖するために、前記胴部の内方に向かって水平姿勢となるように折り曲げた前記内フラップの上面に、前記外フラップを重ね合わせるように折り曲げて、所定の長さに切断した所定幅の接着テープが該外フラップから前記第２側板にわたって貼着される際に、該第２側板のうち該接着テープが貼着することが予定される領域が接着予定部と定義したときに、
前記第２破断可能部は、破断して指を差し込み可能な下方部分と、前記接着予定部に対応する位置に形成されている上方部分とを有し、
前記一対の第１揺動片は、前記外フラップ及び前記内フラップを前記胴部に対して起立姿勢として前記第１側板の内面と前記第２側板の内面とを重ね合わせるように該胴部を折り畳んだときに、互いの内面が重ね合わせられる位置に形成され、前記外フラップから一方の第１揺動片が抜け出たことにより形成された貫通孔に、他方の第１揺動片が嵌入可能であることを特徴とする。
【０００９】
第１の本考案によれば、粘着テープを容易に剥がすことができる。また、外フラップを第１側板に、内フラップを第２側板に、それぞれ重ね合わせるようにして容易に固定することができる。また、折りたたんだ際に、外フラップ同士を固定して、廃棄時にケースのふくらみを防ぐロックをかけることができる。
また、第１の本考案は、前記第１揺動片は、前記第１折目線に沿って延びる揺動折目線と、前記外フラップの先端縁と、該揺動折目線の両端から該外フラップの先端縁までそれぞれ伸びる一対の切れ目線とにより形成されていることが好ましい。
この構成によれば、揺動折目線の両端を繋ぐ切れ目線でなくとも第１揺動片を形成することができる。
【００１０】
第２の本考案は、互いに対向する一対の第１側板及び該一対の第１側板の対向方向に交わる方向に互いに対向する一対の第２側板が折目線を介して連接されて上下方向に延びる角筒状の胴部と、
前記胴部の下側の開放端を閉鎖する底板部と、
前記第１側板の上縁に第１折目線を介して連接された一対の外フラップと、
前記第２側板の上縁に第２折目線を介して連接された一対の内フラップと、を備える包装箱において、
前記外フラップにそれぞれ設けられ、前記第１折目線に沿って延びる揺動折目線と該揺動折目線の両端を繋ぐ切れ目線とにより形成されている一対の第１揺動片と、
前記内フラップにそれぞれ設けられ、前記第２折目線に沿って延びる揺動折目線と該揺動折目線の両端を繋ぐ切れ目線とにより形成されている一対の第２揺動片と、
前記第１側板には、破断可能線に囲まれて切取自在に設けられ、該破断可能線に切り取ることで前記外フラップを該第１側板の外面に重ね合わせるように折り曲げたときに、前記第１揺動片を嵌入可能な貫通孔が形成される一対の第１破断可能部と、
前記第２側板には、破断可能線に囲まれて切取自在に設けられ、該破断可能線に沿って切り取ることで前記内フラップを該第２側板の外面に重ね合わせるように折り曲げたときに、前記第２揺動片を嵌入可能な貫通孔が形成される一対の第２破断可能部と、を有し、
前記胴部の上側の開放端を閉鎖するために、前記胴部の内方に向かって水平姿勢となるように折り曲げた前記内フラップの上面に、前記外フラップを重ね合わせるように折り曲げて、所定の長さに切断した所定幅の接着テープが該外フラップから前記第２側板にわたって貼着される際に、該第２側板のうち該接着テープが貼着することが予定される領域が接着予定部と定義したときに、
前記第２破断可能部は、破断して指を差し込み可能な下方部分と、前記接着予定部に対応する位置に形成されている上方部分とを有し、
前記第１揺動片及び前記第２揺動片は、前記外フラップ及び前記内フラップを前記胴部に対して起立姿勢として前記第１側板の内面と前記第２側板の内面とを重ね合わせるように該胴部を折り畳んだときに、互いの内面が重ね合わせられる位置に形成され、該外フラップから該第１揺動片が抜け出たことにより形成された貫通孔に、第２揺動片が嵌入可能、または、前記内フラップから第２揺動片が抜け出たことにより形成された貫通孔に、該第１揺動片が嵌入可能、であることを特徴とする。
【００１１】
第２の本考案によれば、粘着テープを容易に剥がすことができる。また、外フラップを第１側板に、内フラップを第２側板に、それぞれ重ね合わせるようにして容易に固定することができる。また、折りたたんだ際に、外フラップと内フラップとを固定して、廃棄時にケースのふくらみを防ぐロックをかけることができる。
【図面の簡単な説明】
【００１２】
【図１】考案の実施形態の包装箱を示す斜視図。
【図２】本実施形態の包装箱の展開図。
【図３】粘着テープを剥がすために指を差し入れる差込孔を形成した状態を示す説明図。
【図４】粘着テープの一端とともに破断可能部を破断した状態を示す説明図。
【図５】包装箱の外フラップ及び内フラップを開いた状態を示す説明図。
【図６】包装箱の外フラップを第１側板に折り重ね、内フラップを第２側板に折り重ねた状態を示す説明図。
【図７】包装箱を廃棄するときに、底片５を開いて折り畳んだ状態を示す説明図。
【図８】第２実施形態の包装箱の展開図。
【考案を実施するための形態】
【００１３】
図１を参照して、考案の実施形態の包装箱１は、互いに対向する一対の第１側板２と、第１側板２の側縁に直角に折り曲げられて連設し、且つ互いに対向する一対の第２側板３と、を備えている。一対の第１側板２と一対の第２側板３とで、矩形角筒状の胴部４を構成している。
【００１４】
図２は、包装箱１の展開図を示している。包装箱１は１枚の原紙から打ち抜いた板紙を折り曲げて組み立てられている。図２を参照して、一方の第１側板２の図２における左側縁には、折目線Ｌ１を介して一方の第２側板３の内面に張り付けられる貼付片４ａが連設されている。
【００１５】
一方の第１側板２の図２における右側縁には、折目線Ｌ２を介して、他方の第２側板３が連設されている。他方の第２側板３の図２における右側縁には、折目線Ｌ３を介して、他方の第１側板２が連設されている。他方の第１側板２の図２における右側縁には、折目線Ｌ４を介して、一方の第２側板３が連設されている。一対の第１側板２及び一対の第２側板３の夫々の下端には、組み立て時には内側へ直角に折り曲げられる底片５が折目線Ｌ５を介して夫々連設されている。この４つの底片５によって、包装箱１の底壁が構成されている。
【００１６】
一対の第１側板２の上端には、折目線Ｌ６（本考案の第１折目線に相当。）を介して、外フラップ６が夫々連設されている。一対の第２側板３の上端には、折目線Ｌ７（本考案の第２折目線に相当。）を介して、内プラップ７が夫々連設されている。
【００１７】
内フラップ７には、破断可能線８ａで底辺以外を囲まれて内フラップ７から破断して揺動可能に構成され、且つ底辺よりも上辺の方が長い逆さ台形状の第２揺動片８が設けられている。逆さ台形状の第２揺動片８の短い底辺は折目線８ｂを介して内フラップ７に連設されている。
【００１８】
第２側板３には、破断可能線９ａで囲われて第２側板３から破断可能な破断可能部９が設けられている。破断可能部９は、破断して指を差し込み可能な下方部分９１が上方に向かって次第に幅が狭くなる先細り形状であり、且つ、上方部分９２が上方に向かって次第に幅が広くなる形状となっている。破断可能部９には、下方部分９１と上方部分９２との境界線上に折目線９３が設けられている。
【００１９】
外フラップ６の先端部には、底辺よりも上辺の方が長い逆さ台形状の挿入片１０（本考案の第１揺動片に相当。）が一対設けられている。この挿入片１０は、外フラップ６の先端縁まで次第に間隔を広げるように配置された一対の破断可能線１０ａを破断することによって構成される。逆さ台形状の挿入片１０の底辺は、折目線１０ｂを介して外フラップ６に揺動自在に接続されている。また、逆さ台形状の挿入片１０の上辺は、外フラップ６の先端縁で構成されている。
図２に向かって左側の第１側板２における右側の挿入片１０は、左右方向において、折目線Ｌ１と折目線Ｌ３との中央の位置に形成されており、右側の第１側板２における右側の挿入片１０は、左右方向において、折目線Ｌ３と板紙の右側縁（貼付片４ａが貼着されたときの折目線Ｌ１）との中央の位置に形成されている。同様に、図２に向かって左側の第１側板２における左側の挿入片１０は、左右方向において、貼付片４ａが貼着されたときのＬ４と折目線Ｌ２との中央の位置に形成されており、右側の第１側板２における左側の挿入片１０は、左右方向において、折目線Ｌ２と折目線Ｌ４）との中央の位置に形成されている。
【００２０】
第１側板２には、外フラップ６を第１側板２の外面に沿うように折り曲げたときに、この状態を維持できるように、挿入片１０を押し込み可能な挿入孔１１が設けられている。挿入孔１１は、外フラップ６を第１側板２の外面に折り重ねたときの挿入片１０と同一形状となるように台形状に形成されている。挿入孔１１は、破断可能線１２ａで上辺以外を囲われた台形状の封止片１２で最初は塞がれている。封止片１２の上辺は折目線１２ｂを介して第１側板２に揺動自在に連設されている。
【００２１】
挿入片１０を挿入孔１１に押し込むときには、外フラップ６を第１側板２の外面に折り重ねた後、挿入片１０を第１側板２に向かって押し込む。これにより、挿入片１０は破断可能線１０ａを破断しながら挿入孔１１を介して包装箱１の内部へ押し込まれる。また、挿入片１０は、破断可能線１２ａを破断しながら封止片１２とともに包装箱１の内部へ押し込まれる。これにより、外フラップ６が第１側板２の外面に折り重ねられた状態を維持することができる。
【００２２】
図１を参照して、本実施形態の包装箱１は、内容物を収容した後、上部開口を閉塞するときには、まず、内フラップ７を胴部４の内側へ水平に折り曲げ、その後、外フラップ６を胴部４の内側へ水平に折り曲げて、外フラップ６の先端同士を接続するように外フラップ６の先端縁に沿って粘着テープ１３を張り付ける。このときに粘着テープ１３が外れ難くするために粘着テープ１３の端部は、第２側板３にまで張り付けられることが一般的である。
【００２３】
粘着テープ１３を剥がす際には、図３に示すように、破断可能線９ａを破断させながら破断可能部９の下方部分９１を内側へ押し込み、指を包装箱１内に差し込み可能な差込孔１４を形成する。そして、下方部分９１を折目線９３に沿って上方部分９２に折り重ねるようにして破断可能部９を持ち上げることにより、図４に示すように、粘着テープ１３の一端とともに容易に剥がすことができ、図５に示すように、包装箱１を容易に開封することができる。
【００２４】
図６に示すように、内フラップ７を第２側板３の外面に折り重ねるように折り曲げて、包装箱１の中の包装物を容易に取り出せる状態を維持させるときには、第２揺動片８を破断可能線８ａに沿って破断して、第２側板３の破断可能部９を破断したことにより形成された差込孔１４に押し込む。
【００２５】
これにより、第２揺動片８の先端に向かって幅広となる形状によって、第２揺動片８が下方部分９１の破断によって形成された差込孔１４の上方に向かって次第に幅が狭くなる形状部分に嵌合し、内フラップ７が第２側板３の外面に沿って折り曲げられた状態を容易に維持させることができる。
【００２６】
また、破断可能部９は、破断して指を差し込み可能な下方部分９１が上方に向かって次第に幅が狭くなる先細り形状であり、且つ、上方部分９２が上方に向かって次第に幅が広くなる形状となっている。このため、差込孔１４を形成すべく下方部分９１を破断可能線９ａに沿って破断しても差込孔１４の外縁形状をきれいに保ったまま差込孔１４を形成できる。また、粘着テープ１３を剥がすべく破断可能部９を持ち上げる際にも破断可能線９ａが下方部分９１よりも上方の上方部分９２まで伸びており、破断可能部９を破断するときも下方部分９１の外縁である上方に向かって幅が狭くなる形状部分をきれいに残したまま破断することができる。従って、破断可能部９の破断により幅が狭くなり第２揺動片８と嵌合する部分を破損させてしまうことを抑制することができる。
【００２７】
外フラップ６も第１側板２の外面に沿うように折り曲げ、挿入片１０を挿入孔１１に押し込むことにより固定させることができる。
【００２８】
図７は、包装箱１の底片５も開いて廃棄するために折り畳んだ状態を示している。図７に示すように、図２の折目線Ｌ１、Ｌ３で胴部４を一枚板状に折り畳んだときに、一方の外フラップ６の挿入片１０と他方の外フラップ６の挿入片１０同士を重ね合わせた状態で折り曲げることにより、折り畳んだ胴部４が膨らもうとすることを阻止して、コンパクトに折り畳むことができる。
【００２９】
本実施形態の包装箱１によれば、粘着テープ１３を容易に剥がすことができ、且つ内フラップ７を第２側板３の外側に重ね合わせるようにして容易に第２側板３に折り重ねた状態を維持するように固定することができる。
【００３０】
なお、本実施形態の包装箱１の底部は、４つの底片５を外フラップ６と内フラップ７と同様に折り畳んで閉塞するものを説明したが、考案の包装箱の底部の閉塞構造はこれに限らない。例えば、４つの底フラップを設けて卍型に重ね合わさるように折り重ねて底部を閉塞してもよい。
次に、本考案の第２実施形態の包装箱１００について説明する。包装箱１００は、包装箱１の挿入片１０に替えて第１揺動片１１０が形成されており、その他の構成は、包装箱１と同様であるため説明を省略する。
【００３１】
すなわち、包装箱１００の外フラップ６には、破断可能線１１０ａで底辺以外を囲まれて外フラップ６から破断して揺動可能に構成され、且つ底辺よりも上辺の方が長い逆さ台形状の第１揺動片１１０が設けられている。逆さ台形状の第１揺動片１１０の短い底辺は折目線１１０ｂを介して外フラップ６に連設されている。
【００３２】
図８に向かって、左側の第１側板２における第１揺動片１１０は、左右方向において、折目線Ｌ２を挟んで隣接する第２揺動片８と等距離に形成されており、右側の第１側板２における第１揺動片１１０は、左右方向において、折目線Ｌ４を挟んで隣接する第２揺動片８と等距離に形成されている。
【００３３】
この構成を備えることにより、包装箱１００では、底片５も開いて廃棄するために折り畳んだ際に、一方の外フラップ６の第１揺動片１１０と隣接する内フラップ７の第２揺動片８とを重ね合わせた状態で折り曲げることにより、折り畳んだ胴部４が膨らもうとすることを阻止して、コンパクトに折り畳むことができる。
【符号の説明】
【００３４】
１  包装箱
２  第１側板
３  第２側板
４  胴部
４ａ  貼付片
５  底片
６  外フラップ
７  内フラップ
８  第２揺動片
８ａ  破断可能線
８ｂ  折目線
９  破断可能部
９ａ  破断可能線
９１  下方部分
９２  上方部分
９３  折目線
１０  挿入片（第１揺動片に相当）
１０ａ  破断可能線
１０ｂ  折目線
１１  挿入孔
１２  封止片
１２ａ  破断可能線
１２ｂ  折目線
１３  粘着テープ
１４  差込孔
１００  包装箱
１１０  第１揺動片
１１０ａ  破断可能線
１１０ｂ  折目線
Ｌ１〜Ｌ７  折目線
【図１】
0003230840.tif 000003
【図２】
0003230840.tif 000004
【図３】
0003230840.tif 000005
【図４】
0003230840.tif 000006
【図５】
0003230840.tif 000007
【図６】
0003230840.tif 000008
【図７】
0003230840.tif 000009
【図８】
0003230840.tif 000010